(57)【要約】【課題】  ユーザの意図に合致しない不要なコマンド実行を抑制可能な携帯装置を提供する。【解決手段】  携帯装置１００は、第１の操作ボタンの操作を表す第１の操作情報を得る操作部２５（２９）と、携帯装置１００の動きを表す第１の動き情報を感知する感知部４７と、第１の閾値を決定する決定部４８と、前記第１の動き情報が前記第１の閾値以上である時にコマンドを実行する実行部４５と、を含む。前記第１の操作情報が操作中を表す時、前記決定部４８は、前記第１の動き情報に基づき前記第１の閾値を決定する。【選択図】  図１
2012093819.tif 000002
【特許請求の範囲】
【請求項１】
第１の操作ボタンの操作を表す第１の操作情報を得る操作部と、
携帯装置の動きを表す第１の動き情報を感知する感知部と、
第１の閾値を決定する決定部と、
前記第１の動き情報が前記第１の閾値以上である時にコマンドを実行する実行部と、
を含み、
前記第１の操作情報が操作中を表す時、前記決定部は、前記第１の動き情報に基づき前記第１の閾値を決定することを特徴とする携帯装置。
【請求項２】
請求項１において、
前記第１の動き情報が複数のゾーンのうちのどのゾーンに属するのかを判定する判定部を、
さらに含み、
前記複数のゾーンは、第１のゾーン及び第２のゾーンを有し、
前記第１のゾーンは、前記第１の閾値に対応し、
前記第２のゾーンは、第２の閾値に対応し、
前記判定部の判定結果が前記第１のゾーンを表す時、前記実行部は、前記第１の動き情報が前記第１の閾値以上である時に前記コマンドを実行し、
前記判定部の判定結果が前記第２のゾーンを表す時、前記実行部は、前記第１の動き情報が前記第２の閾値以上である時に前記コマンドを実行することを特徴とする携帯装置。
【請求項３】
第１の操作ボタンの操作を表す第１の操作情報を得る操作部と、
携帯装置の動きを表す第１の動き情報を感知する第１の感知部と、
前記携帯装置の位置又はユーザの動きを表すセンサ情報を感知する第２の感知部と、
第１の閾値を決定する決定部と、
前記第１の動き情報が前記第１の閾値以上である時にコマンドを実行する実行部と、
を含み、
前記第１の操作情報が操作中を表す時、前記決定部は、前記センサ情報に基づき前記第１の閾値を決定することを特徴とする携帯装置。
【請求項４】
請求項３において、
前記センサ情報が複数のゾーンのうちのどのゾーンに属するのかを判定する判定部を、
さらに含み、
前記複数のゾーンは、第１のゾーン及び第２のゾーンを有し、
前記第１のゾーンは、前記第１の閾値に対応し、
前記第２のゾーンは、第２の閾値に対応し、
前記判定部の判定結果が前記第１のゾーンを表す時、前記実行部は、前記第１の動き情報が前記第１の閾値以上である時に前記コマンドを実行し、
前記判定部の判定結果が前記第２のゾーンを表す時、前記実行部は、前記第１の動き情報が前記第２の閾値以上である時に前記コマンドを実行することを特徴とする携帯装置。
【請求項５】
請求項１又は２において、
前記携帯装置の動きを表し、且つ時間が異なる複数の動き情報を記憶する記憶部を、
さらに含み、
前記感知部は、前記複数の動き情報を感知し、
前記第１の閾値は、前記複数の動き情報の平均値であることを特徴とする携帯装置。
【請求項６】
請求項１又は２において、
前記携帯装置の動きを表し、且つ時間が異なる複数の動き情報を記憶する記憶部を、
さらに含み、
前記感知部は、前記複数の動き情報を感知し、
前記第１の閾値は、前記複数の動き情報の最大値であることを特徴とする携帯装置。
【請求項７】
請求項１乃至６のいずれかにおいて、
前記感知部は、前記第１の動き情報として、前記携帯装置の加速度を感知することを特徴とする携帯装置。
【請求項８】
請求項７において、
前記加速度は、３軸方向の３つの加速度を有し、
前記第１の閾値は、前記３軸方向のうちのいずれか１つの軸方向の閾値を有することを特徴とする携帯装置。
【請求項９】
請求項１乃至６のいずれかにおいて、
前記感知部は、前記第１の動き情報として、前記携帯装置の角加速度を感知することを特徴とする携帯装置。
【請求項１０】
請求項１乃至９のいずれかにおいて、
前記決定部は、所与のタイミングで、前記第１の閾値を初期値に戻すことを特徴とする携帯装置。
【請求項１１】
請求項１乃至９のいずれかにおいて、
前記操作部は、第２の操作ボタンの操作を表す第２の操作情報を得て、
前記第２の操作情報が操作中を表す時、前記決定部は、前記第１の閾値を初期値に戻すことを特徴とする携帯装置。
【請求項１２】
請求項１１において、
前記第２の操作ボタンは、電源ボタンであることを特徴とする携帯装置。
【請求項１３】
請求項１１において、
第１のコンテンツを再生する再生部を、
さらに含み、
前記第２の操作ボタンは、再生ボタン及び送りボタンの少なくとも１つであることを特徴とする携帯装置。
【請求項１４】
請求項１乃至１２のいずれかにおいて、
第１のコンテンツ及び第２のコンテンツを再生する再生部を、
さらに含み、
前記第１のコンテンツが再生されている時、前記コマンドは、前記第１のコンテンツに代えて、前記第２のコンテンツを再生することを特徴とする携帯装置。
【請求項１５】
請求項１乃至４のいずれかにおいて、
前記感知部は、モーションセンサであることを特徴とする携帯装置。
【発明の詳細な説明】
【技術分野】
【０００１】
本発明は、携帯装置等に関する。
【背景技術】
【０００２】
特許文献１の図１は、携帯型データ処理装置（携帯装置）を開示し、加速度センサの出力により、利用者（ユーザ）が携帯型データ処理装置をした速度を計算することができる。例えば、前後方向の移動の時には、表示画面を例えば拡大し、拡大率が所定値に達すると画面中心に表示されているアイコンが示すフォルダ又はファイルをオープンする（広義にはコマンドを実行する）ことができる。
【０００３】
また、携帯装置の範囲には、音楽（音楽コンテンツ）を再生する携帯型再生装置（携帯装置）等が含まれる。例えば、携帯型再生装置をユーザが動かす（シェイクする）ことにより、再生中の音楽をシャッフルする（広義にはコマンドを実行する）ことができる（（例えば、非特許文献１）。さらに、携帯型再生装置をユーザが回転させることにより、アルバム写真（写真コンテンツ）を表示（広義には再生）する機能を実行する（広義にはコマンドを実行する）ことができる（例えば、非特許文献１）。
【先行技術文献】
【特許文献】
【０００４】
【特許文献１】特開２００６−２１１４５８号公報
【非特許文献】
【０００５】
【非特許文献１】インターネットコム株式会社、”Apple、シェイクで曲をシャッフルする第4世代「iPod nano」を発表”、平成20年9月10日、インターネット<http://japan.internet.com/busnews/20080910/5.html>
【発明の概要】
【発明が解決しようとする課題】
【０００６】
例えば加速度、速度等の動き情報が閾値以上である場合にコマンドを実行するだけでは、例えば、ユーザが歩いている時と座っている時とでは、ユーザが同じ動作をしても、動き情報が一定でなく、従って、不要にコマンドが実行されてしまうこともある。また、ユーザによっては、動き情報が一定でなく、従って、本発明者は、動き情報が閾値以上である場合にコマンドを実行するだけでは、個々のユーザの直感的な意思に正確に従うことは難しいことを認識した。
【０００７】
本発明の幾つかの態様によれば、ユーザの意図に合致しない不要なコマンド実行を抑制可能な携帯装置を提供することができる。
【課題を解決するための手段】
【０００８】
本発明の一態様は、第１の操作ボタンの操作を表す第１の操作情報を得る操作部と、
携帯装置の動きを表す第１の動き情報を感知する感知部と、
第１の閾値を決定する決定部と、
前記第１の動き情報が前記第１の閾値以上である時にコマンドを実行する実行部と、
を含み、
前記第１の操作情報が操作中を表す時、前記決定部は、前記第１の動き情報に基づき前記第１の閾値を決定することを特徴とする携帯装置に関係する。
【０００９】
本発明の一態様によれば、第１の操作情報が操作中を表す時、決定部は、第１の動き情報に基づき第１の閾値を決定することができる。言い換えれば、特許文献１や非特許文献１のように閾値を固定するのではなく、本発明の一態様によれば、閾値を動的に決定（設定）することができる。このように、第１の閾値を適宜決定することにより、ユーザの意図に合致しない不要なコマンド実行を抑制することができる。或いは、ユーザの意図に合致するように、スムーズにコマンドを実行することができる。
【００１０】
なお、本発明の一態様を変形して、第１の操作ボタンの操作を表す第１の操作情報を得る操作部と、
携帯装置の動きを表す第１の動き情報を感知する第１の感知部と、
前記携帯装置の位置又はユーザの動きを表すセンサ情報を感知する第２の感知部と、
第１の閾値を決定する決定部と、
前記第１の動き情報が前記第１の閾値以上である時にコマンドを実行する実行部と、
を含み、
前記第１の操作情報が操作中を表す時、前記決定部は、前記センサ情報に基づき前記第１の閾値を決定することを特徴とする携帯装置を構成してもよい。
【００１１】
また、本発明の一態様では、携帯装置は、
前記第１の動き情報が複数のゾーンのうちのどのゾーンに属するのかを判定する判定部を、
さらに含んでもよく、
前記複数のゾーンは、第１のゾーン及び第２のゾーンを有してもよく、
前記第１のゾーンは、前記第１の閾値に対応してもよく、
前記第２のゾーンは、第２の閾値に対応してもよく、
前記判定部の判定結果が前記第１のゾーンを表す時、前記実行部は、前記第１の動き情報が前記第１の閾値以上である時に前記コマンドを実行してもよく、
前記判定部の判定結果が前記第２のゾーンを表す時、前記実行部は、前記第１の動き情報が前記第２の閾値以上である時に前記コマンドを実行してもよい。
【００１２】
本発明の一態様によれば、対応するゾーンに仕分けられた閾値（第１の閾値、第２の閾値）に従って、コマンドを実行することができる。
【００１３】
なお、本発明の一態様を変形して、前記センサ情報が複数のゾーンのうちのどのゾーンに属するのかを判定する判定部を、
さらに含み、
前記複数のゾーンは、第１のゾーン及び第２のゾーンを有し、
前記第１のゾーンは、前記第１の閾値に対応し、
前記第２のゾーンは、第２の閾値に対応し、
前記判定部の判定結果が前記第１のゾーンを表す時、前記実行部は、前記第１の動き情報が前記第１の閾値以上である時に前記コマンドを実行し、
前記判定部の判定結果が前記第２のゾーンを表す時、前記実行部は、前記第１の動き情報が前記第２の閾値以上である時に前記コマンドを実行することを特徴とする携帯装置を構成してもよい。
【００１４】
また、本発明の一態様では、携帯装置は、
前記携帯装置の動きを表し、且つ時間が異なる複数の動き情報を記憶する記憶部を、
さらに含んでもよく、
前記感知部は、前記複数の動き情報を感知してもよく、
前記複数の動き情報は、前記第１の動き情報を有してもよく、
前記第１の閾値は、前記複数の動き情報の平均値であってもよい。
【００１５】
本発明の一態様によれば、記憶部で複数の動き情報を記憶することで、複数の動き情報の平均値を第１の閾値に設定することができる。
【００１６】
また、本発明の一態様では、携帯装置は、
前記携帯装置の動きを表し、且つ時間が異なる複数の動き情報を記憶する記憶部を、
さらに含んでもよく、
前記感知部は、前記複数の動き情報を感知してもよく、
前記複数の動き情報は、前記第１の動き情報を有してもよく、
前記第１の閾値は、前記複数の動き情報の最大値であってもよい。
【００１７】
本発明の一態様によれば、記憶部で複数の動き情報を記憶することで、複数の動き情報の最大値を第１の閾値に設定することができる。
【００１８】
また、本発明の一態様では、前記感知部は、前記第１の動き情報として、前記携帯装置の加速度を感知してもよい。
【００１９】
本発明の一態様によれば、感知部は、携帯装置の加速度を感知して、実行部は、その加速度が第１の閾値以上である時にコマンドを実行することができる。
【００２０】
また、本発明の一態様では、前記加速度は、３軸方向の３つの加速度を有してもよく、
前記第１の閾値は、前記３軸方向のうちのいずれか１つの軸方向の閾値を有してもよい。
【００２１】
本発明の一態様によれば、実行部は、３つの加速度のうちの１つの加速度が１つの軸方向の閾値以上である時にコマンドを実行することができる。
【００２２】
また、本発明の一態様では、前記感知部は、前記第１の動き情報として、前記携帯装置の角加速度を感知してもよい。
【００２３】
本発明の一態様によれば、感知部は、携帯装置の角加速度を感知して、実行部は、その角加速度が第１の閾値以上である時にコマンドを実行することができる。
【００２４】
また、本発明の一態様では、前記決定部は、所与のタイミングで、前記第１の閾値を初期値に戻してもよい。
【００２５】
本発明の一態様によれば、例えば第１の閾値が高くなり過ぎた時など、第１の閾値を初期値に戻すことができる。また、例えば第１の閾値が低くなり過ぎた時など、第１の閾値を初期値に戻すことができる。
【００２６】
また、本発明の一態様では、前記操作部は、第２の操作ボタンの操作を表す第２の操作情報を得てもよく、
前記第２の操作情報が操作中を表す時、前記決定部は、前記第１の閾値を初期値に戻してもよい。
【００２７】
本発明の一態様によれば、ユーザの意図に合致すると思われるような第２の操作ボタンの操作で、決定部は、第１の閾値を初期値に戻すことができる。
【００２８】
また、本発明の一態様では、前記第２の操作ボタンは、電源ボタンであってもよい。
【００２９】
本発明の一態様によれば、電源ボタンの操作に伴い、決定部は、第１の閾値を初期値に戻すことができる。
【００３０】
また、本発明の一態様では、携帯装置は、
第１のコンテンツを再生する再生部を、
さらに含んでもよく、
前記第２の操作ボタンは、再生ボタン及び送りボタンの少なくとも１つであってもよい。
【００３１】
本発明の一態様によれば、再生ボタンや送りボタンの操作に伴い、決定部は、第１の閾値を初期値に戻すことができる。
【００３２】
また、本発明の一態様では、携帯装置は、
第１のコンテンツ及び第２のコンテンツを再生する再生部を、
さらに含んでもよく、
前記第１のコンテンツが再生されている時、前記コマンドは、前記第１のコンテンツに代えて、前記第２のコンテンツを再生してもよい。
【００３３】
本発明の一態様によれば、実行部は、第１の動き情報が第１の閾値以上である時に第１のコンテンツに代えて、第２のコンテンツを再生することができる。
【００３４】
また、本発明の一態様では、前記感知部は、モーションセンサであってもよい。
【００３５】
本発明の一態様によれば、モーションセンサで携帯装置の動きを把握することができる。
【図面の簡単な説明】
【００３６】
【図１】本実施形態の携帯装置の第１の構成例。
【図２】本実施形態の携帯装置の第２の構成例。
【図３】第１〜第２のゾーンの設定例。
【図４】本実施形態の携帯装置の第３の構成例。
【図５】本実施形態の携帯装置の第４の構成例。
【図６】本実施形態の携帯装置の第５の構成例。
【図７】図７（Ａ）、図７（Ｂ）は、図１等の携帯装置の外観例。
【図８】図１等の携帯装置の適用例。
【図９】図１等の携帯装置の動作例を説明するフローチャート。
【発明を実施するための形態】
【００３７】
以下、本実施形態について説明する。なお、以下に説明する本実施形態は、特許請求の範囲に記載された本発明の内容を不当に限定するものではない。また、本実施形態で説明される構成の全てが、本発明の必須構成要件であるとは限らない。
【００３８】
１．  基本構成
図１は、本実施形態の携帯装置の構成例を示す。図１に示すように、携帯装置１００は、操作部２５、感知部４７、決定部４８及び実行部４５を含む。図１の例では、携帯装置１００は、ユーザが種々の操作を行うための操作部２５を含むことができる。携帯装置１００は、操作部２５として、複数の操作ボタンを含んでもよい。なお、操作部２５を例えばタッチパネルで構成する場合、タッチパネルの一部の領域で１つの操作ボタンを形成することができ、タッチパネルの全部の領域で複数の操作ボタンを形成することができる。また、操作部２５は、携帯装置１００と分離してもよい。この場合、携帯装置１００は、操作部２５からの操作情報を無線又は有線で受け取ってもよい。
【００３９】
ユーザが操作ボタンを例えば押す時、操作部２５は、その操作ボタンが操作中であることを表す操作情報を得ることができ、その操作情報を決定部４８（広義には処理部４０）に送ることができる。ユーザが操作ボタンを例えば押してないと時、操作部２５は、その操作ボタンが操作中でないことを表す操作情報を得ることができる。このように、操作部２５は、操作ボタンの操作（狭義には操作中の有無）を表す操作情報を得ることができる。
【００４０】
図１の例では、携帯装置１００は、携帯装置１００の動きを表す動き情報を感知する感知部４７を含むことができる。感知部４７も、携帯装置１００と分離してもよい。この場合、携帯装置１００は、感知部４７からのセンサ情報を無線又は有線で受け取ってもよい。感知部４７は、例えばモーションセンサであり、例えばＣＣＤセンサ等の撮像部であってもよい。感知部４７が撮像部である場合、携帯装置１００は、撮像部からの画像情報を解析し、携帯装置１００の動きを把握してもよい。
【００４１】
モーションセンサは、例えば加速度センサであるが、加速度センサ及びジャイロセンサの組み合わせでもよい。また、モーションセンサは、ジャイロセンサ、地磁気センサ、圧力センサ（例えば気圧センサ、水圧センサ等）、アクティブセンサ（例えば、赤外線測距センサ、超音波測距センサ等）及び位置検出センサ（例えば、ＧＰＳセンサや、携帯電話網やＲＦＩＤ等の無線ネットワークセンサ）の少なくとも１つでもよい。なお、モーションセンサは、ユーザの手首等に取り付けてもよい。
【００４２】
図１の例では、決定部４８及び実行部４５は、処理部４０として表され、処理部４０は、ＡＳＩＣ、ＤＳＰ等のＩＣを有することができる。なお、携帯装置１００の構成は、図１によって限定されるものではない。
【００４３】
図１の例では、携帯装置１００は、図示しない記憶部を含むことができる。携帯装置１００は、典型的には、携帯型情報端末（携帯型データ処理装置）、携帯型再生装置、携帯電話機、携帯型ゲーム機等であって、携帯可能な撮像装置であってもよい。撮像装置は、典型的には、電子スチルカメラや電子ビデオカメラであって、光学的な画像情報を例えば撮像素子で電気信号に変換し、変換後の画像情報を例えば処理部４０内の記憶部（ワーク領域）や図示しない記憶部に、電子的に記録することができる。
【００４４】
図１の例では、操作部２５からの操作情報が操作中を表す時、決定部４８は、感知部４７からの動き情報に基づき閾値を決定することができる。ユーザが操作ボタンを操作している時、ユーザは、コマンドの実行を望んでいないと考えられる。従って、操作部２５からの操作情報が操作中を表す時に閾値を決定（設定、変更）することで、ユーザの意図に合致しない不要なコマンド実行を抑制することができる。
【００４５】
実行部４５は、決定部４８で決定された閾値と感知部４７からの動き情報とを比較し、動き情報が閾値以上である時にコマンドを実行することができる。なお、実行部４５は、動き情報を決定部４８を介して受けることができるが、感知部４７からの動き情報を直接に受けてもよい。携帯装置１００が例えば表示部を含む場合、実行部４５は、動き情報が閾値以上である時に、コマンドとして、表示部の表示画面を例えば拡大することができる。また、携帯装置１００が例えば再生部を含む場合、実行部４５は、動き情報が閾値以上である時に、コマンドとして、再生部が再生しているコンテンツを例えば変更することができる。
【００４６】
動き情報が閾値以上である場合にコマンドを実行するだけでは、例えば、ユーザが歩いている時と座っている時とでは、ユーザが同じ動作をしても、動き情報が一定でなく、従って、不要にコマンドが実行されてしまうこともある。図１の例では、決定部４８は、感知部４７からの動き情報に基づき閾値を決定することができる。言い換えれば、決定部４８は、動的に閾値を決定（設定、変更）することができる。加えて、操作部２５からの操作情報が操作中を表す時に閾値を決定（設定、変更）することで、その後、操作部２５からの操作情報が操作中を表さない時でも、直前に決定された閾値でのユーザの状態（例えば、ユーザが歩いている）に応じて、コマンドが実行される。このように、閾値を適宜決定することにより、ユーザの意図に合致しない不要なコマンド実行を抑制することができる。
【００４７】
図２は、本実施形態の携帯装置の他の構成例を示す。また、上述した構成例と同一の構成については同じ符号を付し、一致点の説明を省略し、以下に相違点について説明する。図１の携帯装置１００（第１の構成例）に判定部４６を加えて、図２に示す携帯装置１００（第２の構成例）を形成することができる。言い換えれば、図１の処理部４０は、図２の判定部４６の機能を実現してもよい。図２の例では、判定部４６は、動き情報が例えば第１のゾーン及び第２のゾーンのうちのどのゾーンに属するのかを判定する。決定部４８は、対応するゾーンに仕分けられた携帯装置の動きを考慮することができる。判定部４６の判定結果が例えば第１のゾーンを表す時、決定部４８は、第１のゾーンに対応する閾値（第１の閾値）を決定（設定）することができる。また、判定部４６の判定結果が例えば第２のゾーンを表す時、決定部４８は、第２のゾーンに対応する閾値（第２の閾値）を決定（設定）することができる。なお、判定部４８は、動き情報が、３つ以上の複数のゾーンのうちどのゾーンに属するのかを判定してもよい。複数のゾーンの数に応じて、複数の閾値を設定することができる。
【００４８】
判定部４６の判定結果が例えば第１のゾーンを表す時、従って例えば第１の閾値が設定される時、実行部４５は、感知部４７からの動き情報が第１の閾値以上である時にコマンドを実行することができる。或いは、判定部４６の判定結果が例えば第２のゾーンを表す時、従って例えば第２の閾値が設定される時、実行部４５は、感知部４７からの動き情報が第２の閾値以上である時にコマンドを実行することができる。図２の例では、対応するゾーンに仕分けられた閾値（例えば第１の閾値、第２の閾値）に従って、コマンドを実行することができる。なお、実行部４５は、判定結果を決定部４８を介して受けることができるが、判定部４６からの判定結果を直接に受けてもよい。
【００４９】
図３は、第１〜第２のゾーンの設定例を示す。図３の例では、判定部４６の判定結果が第１のゾーンを表す時、実行部４５は、感知部４７からの動き情報が第１の閾値以上である時にコマンドを実行することができる。また、判定部４６の判定結果が第２のゾーンを表す時、実行部４５は、感知部４７からの動き情報が第２の閾値以上である時にコマンドを実行することができる。第２の閾値は、第１の閾値よりも大きいので、判定部４６の判定結果（携帯装置１００の動き）が第２のゾーンを表す時、コマンドは実行され難くなる。
【００５０】
図２の例では、判定部４６は、動き情報（携帯装置１００の動き）を利用する。従って、判定部４６は、動き情報を評価する評価値を算出し、判定部４６は、評価値に基づき、動き情報が第１のゾーン及び第２のゾーンのうちのどのゾーンに属するのかを判定することができる。感知部４７が、例えば、動き情報として、携帯装置１００の加速度を感知するモーションセンサである場合、判定部４６は、評価値として、例えば加速度を積分することによって得られる携帯装置１００の速度を算出することができる。判定部４６は、評価値（例えば携帯装置１００の速度）が所与の基準値（例えば所与の速度）以上であるか否かにより、評価値（広義には動き情報）が第１のゾーン及び第２のゾーンのうちのどのゾーンに属するのかを判定することができる。
【００５１】
なお、所与の速度は、人間の歩行速度（例えば４［ｋｍ／ｈ］程度）に設定することができ、ユーザ毎に歩行速度をカスタマイズしてもよい。所与の速度が歩行速度である場合、携帯装置１００は、例えば、ユーザが歩いている時と座っている時とを区別し、閾値（コマンドを実行する基準）を動的に決定（設定、変更）することができる。
【００５２】
判定部４６は、評価値として、例えば携帯装置１００の速度を算出することができるが、感知部４７からの動き情報、例えば携帯装置１００の加速度そのものを評価値として採用してよい。この場合、図３の例では、加速度が例えば所与の加速度以上であるか否かにより、加速度（広義には動き情報）が第１のゾーン及び第２のゾーンのうちのどのゾーンに属するのかを判定してもよい。また、判定部４６は、例えば５つのゾーンのうちのどのゾーンに属するかを判定してもよく、決定部４８は、例えば５つの閾値（５段階の閾値）の中から１つの閾値を動的に決定（設定、変更）してもよい。
【００５３】
図４は、本実施形態の携帯装置の更なる他の構成例を示す。また、上述した構成例と同一の構成については同じ符号を付し、一致点の説明を省略し、以下に相違点について説明する。図１の携帯装置１００（第１の構成例）に他の感知部（第２の感知部４７−２）を加えて、図４に示す携帯装置１００（第３の構成例）を形成することができる。図４の例では、操作部２５からの操作情報が操作中を表す時、決定部４８は、第２の感知部４７−２からのセンサ情報に基づき閾値を決定することができる。なお、図４の例では、実行部４５は、第１の感知部４７からの動き情報を直接に受けているが、決定部４８を介して動き情報を受けてもよい。
【００５４】
図４の第１の感知部４７は、図１の感知部４７と同様に、携帯装置の動きを表す動き情報を感知する。図４の第２の感知部４７−２は、携帯装置の位置又はユーザの動きを表すセンサ情報を感知する。第２の感知部４７−２は、例えばモーションセンサ（狭義には、ＧＰＳセンサ等の位置検出センサ）であり、携帯装置の位置を把握することができる。或いは、第２の感知部４７−２は、例えばＣＣＤセンサ等の撮像部であり、撮像部からの画像情報を解析し、ユーザの動き（例えば、ユーザが歩いている、ユーザが座っている等のユーザの動作状況）を把握することができる。
【００５５】
図５は、本実施形態の携帯装置の更なる他の構成例を示す。また、上述した構成例と同一の構成については同じ符号を付し、一致点の説明を省略し、以下に相違点について説明する。図２の携帯装置１００（第２の構成例）に他の感知部（第２の感知部４７−２）を加えて、図５に示す携帯装置１００（第４の構成例）を形成することができる。図５の例では、図４の例と同様に、操作部２５からの操作情報が操作中を表す時、決定部４８は、第２の感知部４７−２からのセンサ情報に基づき閾値を決定することができる。また、図の例では、判定部４６は、第２の感知部４７−２からのセンサ情報が複数のゾーンのうちのどのゾーンに属するのかを判定することができる。なお、図５の例では、実行部４５は、第１の感知部４７からの動き情報を直接に受けているが、決定部４８を介して動き情報を受けてもよい。
【００５６】
図５の例では、図２の例と同様に、判定部４６は、例えば図３に示すように、センサ情報が例えば第１のゾーン及び第２のゾーンのうちのどのゾーンに属するのかを判定する。第２の感知部４７−２が例えばＧＰＳセンサである場合、判定部４６は、緯度及び経度並びに地図情報を利用して、例えば携帯装置１００の位置が自宅、喫茶店等の建物の内部に位置しているか否かの評価値を得ることができる。例えば、携帯装置１００の位置が建物の内部に位置している場合、評価値として「１」を算出できる。また、携帯装置１００の位置が建物の外部に位置している場合、評価値として「２」を算出できる。例えばユーザが喫茶店内で着席する場合、判定部４６は、第１のゾーンを表す判定結果を生成し、決定部４８は、例えば低い閾値（第１の閾値）に設定することができる。また、例えばユーザが道路を歩く場合、判定部４６は、第２のゾーンを表す判定結果を生成し、決定部４８は、例えば高い閾値（第２の閾値）に設定することができる。
【００５７】
第２の感知部４７−２が例えばＣＣＤセンサである場合、判定部４６は、画像情報並びに特徴点情報を利用して、例えばユーザが着席しているのか、歩いているのか等のユーザの動作情報の評価値を得ることができる。なお、判定部４６は、図３で示すような評価値を算出せず、センサ情報からゾーン判定結果を直接に算出してもよい。また、判定部４６は、例えば５つのゾーンのうちのどのゾーンに属するかを判定してもよく、決定部４８は、例えば５つの閾値（５段階の閾値）の中から１つの閾値を動的に決定（設定、変更）してもよい。
【００５８】
図６は、本実施形態の携帯装置の更なる他の構成例を示す。また、上述した構成例と同一の構成については同じ符号を付し、一致点の説明を省略し、以下に相違点について説明する。図１の携帯装置１００（第１の構成例）にメモリ５９（広義には記憶部）を加えて、図６に示す携帯装置１００（第５の構成例）を形成することができる。図６の例では、メモリ５９は、感知部４７からの動き情報の履歴を記憶することができる。
【００５９】
感知部４７は、所与の期間が経過する毎に、携帯装置の動きを表す動き情報を感知することができるが、決定部４８からの指示（トリガー）で、動き情報を感知してもよい。決定部４８は、所与の期間が経過する毎に、感知部４７からの動き情報を取得することができるが、操作部２５からの操作情報が操作中を表す時に、感知部４７からの動き情報を動き情報の履歴として、メモリ５９に記憶することができる。
【００６０】
メモリ５９は、携帯装置の動きを表し、且つ時間が異なる複数の動き情報（動き情報の履歴）を記憶することができるので、決定部４８は、複数の動き情報の平均値を閾値として決定することができる。例えば、決定部４８は、操作部２５からの操作情報が操作中を表す毎に、メモリ５９で記憶される複数の動き情報の平均値を閾値として決定（設定、変更）することができる。なお、動き情報の履歴として、所与の数の動き情報、例えば１０個の操作部２５からの操作情報が操作中を表す第１〜第１０の動き情報を採用する場合、第１〜第１０の動き情報の平均値を算出することができる。
【００６１】
代替的に、決定部４８は、複数の動き情報の最大値を閾値として決定することができる。操作部２５からの操作情報が操作中を表す毎にメモリ５９で記憶される、例えば第１〜第１０の動き情報の中の最大値を閾値に決定することができる。
【００６２】
操作部２５からの操作情報が操作中を表す毎に、決定部４８がメモリ５９で記憶される複数の動き情報の最大値を閾値として決定する場合、閾値が高くなり過ぎて、コマンドを実行できないこともある。そこで、決定部４８は、所与のタイミングで、閾値（最大値）を例えば初期値に戻すことができる。例えば、ユーザが歩くことで、閾値が高くなった場合、その後に、ユーザが例えば喫茶店に入り、椅子に座った場合、感知部４７からの動き情報がその閾値以上になり難いこともある。この場合、初期値としては、例えば、ユーザが座っていることを想定する時の動き情報を採用することができる。
【００６３】
操作部２５からの操作情報が操作中を表す毎に、決定部４８がメモリ５９で記憶される複数の動き情報の平均値を閾値として決定する場合も、例えば、ユーザが歩いていた後、ユーザが例えば喫茶店に入り、椅子に座った場合、感知部４７からの動き情報がその閾値以上になり難いこともある。ユーザが例えば喫茶店に入り、ある程度の時間が経過すると、喫茶店内のユーザの動作が平均値に反映される場合には、感知部４７からの動き情報がその閾値以上になり易いこともある。ユーザの行動に迅速に対応するため、決定部４８は、所与のタイミングで、閾値（平均値）を例えば初期値に戻すことができる。
【００６４】
２．  外観例
図７（Ａ）、図７（Ｂ）は、図１等の携帯装置の外観例を示し、図７（Ａ）は、携帯電話機を示し、図７（Ｂ）は、携帯型再生装置を示す。図７（Ａ）の例では、携帯装置１００（狭義には携帯電話機）は、図１等の操作部２５として、ダイヤルボタン２５−０〜９，２５−＊，＃及び電源ボタン２５−Ｐを含む。また、図７（Ａ）の例では、携帯装置１００は、発信先電話番号、着信元電話番号等の情報を表示する表示部２９を含む。さらに、図７（Ａ）の例では、携帯装置１００は、スピーカ６０及びマイク６１を含む。ユーザは、電源ボタン２５−Ｐで携帯装置１００の電源をＯＮ／ＯＦＦし、ダイヤルボタン２５−０〜９，２５−＊，＃及びスピーカ６０及びマイク６１で、所与の人と通話することができる。
【００６５】
図７（Ｂ）の例では、携帯装置１００（狭義には携帯型再生装置）は、図１等の操作部２５として、再生ボタン（送りボタン）２５−Ｐ１〜Ｐ３を含む。また、図７（Ｂ）の例では、表示部２９は、再生中の曲のタイトル、アーティスト等の情報を表示することができ、表示部２９は、例えばタッチパネルディスプレイ（タッチスクリーン）で構成され、操作部２５の機能を実現することができる。さらに、表示部２９は、図示されない様々な操作ボタンを形成することができる。図７（Ｂ）の例では、携帯装置１００は、スピーカ６０を含む。
【００６６】
図７（Ｂ）の携帯装置１００が音楽（音楽コンテンツ）を再生する場合、例えば図１の実行部４５が、音楽コンテンツを再生する機能を実現してもよく、或いは、実行部４５とは別に、処理部４０は、再生部として、音楽コンテンツを再生してもよい。図７（Ｂ）の携帯装置１００が写真（写真コンテンツ）を再生する場合、携帯装置１００は、写真コンテンツを再生する再生部（実行部４５、処理部４０）を含む。ユーザは、例えば再生ボタン２５−Ｐ２で、音楽コンテンツ、写真コンテンツ等のコンテンツ（第１のコンテンツ）を再生することができ、例えば送りボタン２５−Ｐ３で、次のコンテンツ（第２のコンテンツ）を再生することができる。或いは、ユーザは、例えば送りボタン２５−Ｐ１で、前のコンテンツ（第２のコンテンツ）を再生することができる。
【００６７】
なお、図７（Ａ）の携帯装置１００は、コンテンツを再生してもよく、例えば、ダイヤルボタン２５−０で、コンテンツ（第１のコンテンツ）を再生することができ、例えば送りボタン２５−＃で、次のコンテンツ（第２のコンテンツ）を再生することができる。
【００６８】
図７（Ａ）例及び図７（Ｂ）の例では、携帯装置１００は、例えば図１の感知部４７として、例えば３軸加速度センサを含むことができる。３軸加速度センサは、３軸（ｘ軸、ｙ軸、ｚ軸）方向の３つの加速度を感知することができる。３軸のうちのｘ軸は、例えば、携帯装置１００の正面又は表示部２９の表示画面を基準とする場合の横方向（左右方向）に設定することができる。３軸のうちのｙ軸は、例えば、携帯装置１００の正面又は表示部２９の表示画面を基準とする場合の縦方向（上下方向）に設定することができる。３軸のうちのｚ軸は、例えば、携帯装置１００の正面又は表示部２９の表示画面を基準とする場合の前後方向に設定することができる。携帯装置１００は、例えば図１の感知部４７として、２軸加速度センサでも、１軸加速度センサでもよい。
【００６９】
図７（Ａ）例及び図７（Ｂ）の例では、携帯装置１００は、例えば図１の感知部４７として、例えば３軸ジャイロセンサを含んでもよい。３軸ジャイロセンサは、３軸周りの３つの角加速度を感知することができる。携帯装置１００は、例えば図１の感知部４７として、２軸ジャイロセンサでも、１軸ジャイロセンサ（例えばｘ軸回りの角加速度を感知するジャイロセンサ）でもよい。
【００７０】
図８は、図１等の携帯装置の適用例を示し、撮像部１０を含む、携帯型の撮像装置の構成例が示されている。図８の処理部４０は、例えば図１の決定部４８、実行部４５等の機能を実現することができる。
【００７１】
図８の撮像部は、例えば図４の第２の感知部４７−２の機能を実現してもよく、或いは、図８の携帯装置１００は、図４の第２の感知部４７−２として、撮像部１０（第１の撮像部）と異なる第２の撮像部をさらに含んでもよい。
【００７２】
３．  動作例
図９は、図１等の携帯装置の動作例を説明するフローチャートを示す。以下に、閾値の決定（更新）、コマンドの実行及び閾値のリセットについて説明する。
【００７３】
図９のステップＳ１０１の例では、図６等の感知部４７（例えば、３軸加速度センサ）は、携帯装置１００の動きを表す動き情報を感知する。ステップＳ１０１が複数回実施される場合、感知部４７は、複数の動き情報を感知することができる。例えば、第Ｎの時刻で、３軸加速度センサは、ｘ軸方向の加速度（第１の加速度）、ｙ軸方向の加速度（第２の加速度）及びｚ軸方向の加速度（第３の加速度）を感知することができる。
【００７４】
図６等の操作部２５がタッチパネル及び例えば電源ボタンを有する場合、ユーザがタッチパネルを操作する（押す）時、操作部２５は、その操作に対応する操作ボタンが操作中であることを表す操作情報を得ることができる。ユーザが電源ボタンを押す時、操作部２５は、電源ボタンが操作中であることを表す操作情報を得ることができる。図９のステップＳ１０２の例では、図６等の決定部４８は、操作部２５からの操作情報に基づき、電源ボタン（第２の操作ボタン）と異なる操作ボタン（第１の操作ボタン）が押されたか否か（広義にはタッチパネルが操作されたか否か）を判断することができる。
【００７５】
図９のステップＳ１０２の例でのタッチパネルの操作には、処理部４０又は実行部４５が例えば、音楽コンテンツを再生するアプリションを起動するために必要な操作ボタンの操作を含むことが可能である。更に、図９のステップＳ１０２の例でのタッチパネルの操作には、音楽コンテンツを再生するアプリションと異なる他のアプリケーションを起動するために必要な操作ボタンの操作を含むことが可能である。また、図９のステップＳ１０２の例でのタッチパネルの操作には、その他のアプリケーションの実行中にその他のアプリケーションを操作するために必要な操作ボタンの操作を含むことが可能である。
【００７６】
図９のステップＳ１０３の例では、タッチパネルが操作される場合、図６等の決定部４８は、例えば、第Ｎの時刻に対応する３軸方向の３つ加速度（第１〜第３の加速度）（広義には動き情報）に基づき閾値を決定することができる。閾値は、各軸に対応する例えば３つの閾値でもよく、３軸のうちの１つの軸に対応する１つの閾値でもよい。図６等の決定部４８は、タッチパネルが操作される時刻に対応する閾値を図６のメモリ５９に記憶すすることができる。図９のステップＳ１０３が複数回実施され、肯定的な結果が複数回得られる場合、メモリ５９は、時刻が異なる複数の動き情報（加速度）を記憶する。メモリ５９が、例えば、操作部２５からの操作情報が操作中を表す第（Ｎ−１０）の時刻での第１の動き情報、第（Ｎ−９）の時刻での第２の動き情報、・・・、第Ｎの時刻での第１０の動き情報を記憶する場合、第１〜第１０の動き情報の平均値を算出することができる。例えば、決定部４８は、１０個のｘ軸方向の加速度の平均値をｘ軸方向の閾値として決定（更新）し、１０個のｙ軸方向の加速度の平均値をｙ軸方向の閾値として決定（更新）し、１０個のｚ軸方向の加速度の平均値をｚ軸方向の閾値として決定（更新）することができる。
【００７７】
図９のステップＳ１０２が実施され、否定的な結果が得られる場合、図９のステップＳ２０１の例では、図６等の決定部４８は、例えば、第Ｎの時刻に対応する３軸方向の３つ加速度（第１〜第３の加速度）（広義には動き情報）が閾値以上であるか否かを判定する。ここで、閾値は、ステップＳ１０２で第Ｎの時刻の前で更新された値である。例えば、第Ｎの時刻に対応するｘ軸の加速度が、１０個のｘ軸方向の加速度の平均値以上である場合、ステップＳ２０２を実施する。
【００７８】
図９のステップＳ２０２の例では、実行部４５は、コマンドを実行する。例えば、実行部４５は、コマンドとして、第１のコンテンツが再生されている時、第１のコンテンツに代えて、第２のコンテンツを再生することができる。
【００７９】
図９のステップＳ３０１の例及びステップＳ３０２の例では、ユーザの意図に合致すると思われるような電源ボタンが押される時、決定部４８は、閾値を例えば初期値に戻すことにより、閾値をリセットすることができる。或いは、例えばユーザの意図に合致すると思われるような再生ボタン及び送りボタンの少なくとも１つが押される時、決定部４８は、閾値をリセットしてもよい。
【００８０】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また撮像の構成、動作も本実施形態で説明したものに限定に限定されず、種々の変形実施が可能である。
【符号の説明】
【００８１】
１０  撮像部、１１  光学素子、１１ａ，１１ｂ，１１ｄ  レンズ、１１ｃ  絞り機構、
１３  撮像素子、１７  光学ズーム制御部、１９  ＡＥ制御部、２０  制御部、
２１  ＡＦ制御部、２３  撮像素子駆動部、２５  操作部、
２５−０〜９，２５−＊，＃  ダイヤルボタン、  ２５−Ｐ  電源ボタン、
２５−Ｐ１〜Ｐ３  再生ボタン（送りボタン）、２５ａ  シャッター釦（レリーズ釦）、
２５ｂ  ズームレバー、２９  表示部、３０  画像処理部、３１  前処理部、
３３  解像度調整部、３５  画素数変換部、３７  画像圧縮部、３９  表示制御部、
４０  処理部（再生部）、４３  メモリインタフェース、４５  実行部（再生部）、
４６  判定部、４７  感知部（第１の感知部）、４７−２  第２の感知部、
４８  決定部、４９  第２の撮像部、５０  記憶部、６０  スピーカ、６１  マイク、
５１  第３の検出部、５５  記録媒体、５７  バッファメモリ、５９  メモリ、
１００  携帯装置
【図１】
2012093819.tif 000003
【図２】
2012093819.tif 000004
【図３】
2012093819.tif 000005
【図４】
2012093819.tif 000006
【図５】
2012093819.tif 000007
【図６】
2012093819.tif 000008
【図７】
2012093819.tif 000009
【図８】
2012093819.tif 000010
【図９】
2012093819.tif 000011